【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
電子ディスプレイ上のマーカの移動を制御する方法であって、
上記電子ディスプレイ上に表示される情報に対応する電子情報信号を提供するステップであって、該情報はリアルタイムに変化する基本視覚情報およびマーカを含む、提供するステップと、
上記電子情報信号に応じて、上記電子ディスプレイ上に、上記リアルタイムに変化する基本視覚情報および上記マーカを含む視覚情報を生成するステップと、
手操作の入力装置からマーカ移動コマンド信号を受信するステップと、
i)上記リアルタイムに変化する基本視覚情報、および上記リアルタイムに変化する基本視覚情報に関連する上記ディスプレイ上の上記マーカの位置、ならびにii)上記マーカ移動コマンド信号および前マーカ移動コマンド信号と、から構成されるグループから選択される情報に依存してマーカ移動インクリメントをリアルタイムに求めるステップと、
上記マーカ移動コマンド信号に応じて、上記マーカを上記マーカ移動インクリメントだけインクリメントするステップと、
を含む、電子ディスプレイ上のマーカの移動を制御する方法。
【請求項２】
上記求めるステップは、上記リアルタイムに変化する基本視覚情報、および上記リアルタイムに変化する基本視覚情報に関連する上記ディスプレイ上の上記マーカの位置に依存してマーカ移動インクリメントをリアルタイムに求めるステップを含む、請求項１に記載の方法。
【請求項３】
上記マーカ移動インクリメントを求めるステップは、
マーカ位置の範囲を求めるステップと、
上記範囲内の複数のマーカ位置について仮の移動インクリメントを見つけるステップと、
上記マーカ移動インクリメントを上記仮の移動インクリメントの最小であるように選択するステップと、
を含む、請求項２に記載の方法。
【請求項４】
上記基本視覚情報は、ユーザの関心が大きい第１の領域と、上記ユーザの関心が小さい第２の領域を含み、上記求めるステップは、上記マーカが、上記第１の領域を第１の距離インクリメントで移動し、上記第２の領域を第２の距離インクリメントで移動するように、上記マーカ移動インクリメントを変化させることを含み、上記第２の距離インクリメントは、上記第１の距離インクリメントより大きい、請求項２に記載の方法。
【請求項５】
上記基本視覚情報は、上記ユーザの関心のある少なくとも１つの点を含み、上記求めるステップは、上記関心のある少なくとも１点をリアルタイムに識別することを含み、上記インクリメントするステップは、上記マーカ移動コマンド信号に応じて、上記関心のある点に上記マーカを移動させることを含む、請求項２に記載の方法。
【請求項６】
上記基本視覚情報は、移動止めを含み、上記求めるステップは、上記移動止めに関して上記マーカの位置をリアルタイムに識別し、上記マーカが上記移動止めに関するあらかじめ決められた位置にある場合、マーカ移動インクリメントが０であると判定することを含む、請求項２に記載の方法。
【請求項７】
上記求めるステップは、上記マーカ移動コマンド信号および前のマーカ移動コマンド信号に依存してマーカ移動インクリメントをリアルタイムに求めることを含む、請求項２に記載の方法。
【請求項８】
上記求めるステップは、上記手操作の装置がアクティブであった時間の長さに基づいて上記インクリメントを見つけることを含む、請求項７に記載の方法。
【請求項９】
上記基本視覚情報は、波形であり、上記求めるステップは、上記波形の形に基づいて上記マーカ移動インクリメントを見つけることを含む、請求項１に記載の方法。
【請求項１０】
電子ディスプレイ・システムであって、
リアルタイムに変化する基本視覚情報、および上記基本視覚情報の特定の一部を指示するためにディスプレイを横切って移動することができるマーカを含む情報を表示するディスプレイと、
マーカ移動コマンドを入力する入力装置と、
上記ディスプレイを横切って上記マーカを移動させる命令を格納するメモリと、
上記ディスプレイおよび上記メモリと接続し、i)上記リアルタイムに変化する基本視覚情報および上記リアルタイムに変化する基本視覚情報に関連する上記ディスプレイ上の上記マーカの位置、ならびにii)複数の上記マーカ移動コマンド、からなるグループから選択される情報に依存してマーカ移動インクリメントをリアルタイムに求める電子プロセッサと、
上記プロセッサと接続し、上記マーカ移動コマンドの１つに応じて、上記マーカを上記決定されるマーカ移動インクリメントだけ移動させる電子ディスプレイ・コントローラと、
を備える、電子ディスプレイ・システム。
【請求項１１】
上記メモリは、上記ディスプレイ上の少なくとも１つの位置に関して上記リアルタイムに変化する基本視覚情報の差に関連するファクタを格納するメモリ位置を含み、上記プロセッサは、上記ファクタに基づいて上記マーカ・インクリメントを求める、請求項１０に記載の電子ディスプレイ・システム。
【請求項１２】
上記メモリは、ユーザの関心のある点の上記ディスプレイ上の位置をリアルタイムに求める基準を格納する位置を含み、上記プロセッサは、上記関心のある点の位置に基づいて上記マーカ移動インクリメントを求める、請求項１０に記載の電子ディスプレイ・システム。
【請求項１３】
上記基本視覚情報は、波形を含み、上記関心のある点は、波形の局所的な最小と、波形の局所的な最大と、波形の全体的な最小と、波形の全体的な最大と、波形エッジのパーセンテージ閾値と、からなるグループから選択される点を含む、請求項１０に記載の電子ディスプレイ・システム。
【請求項１４】
上記システムは、上記マーカ移動コマンドの数を数えるカウンタを含み、上記プロセッサは、上記カウンタの中のカウント数に基づいて上記マーカ移動インクリメントを求める、請求項１０に記載の電子ディスプレイ・システム。
【請求項１５】
上記メモリは、上記入力装置がアクティブであった時間の長さに関連するファクタを格納する位置を含み、上記プロセッサは、上記時間の長さに基づいて上記マーカ移動インクリメントを求める、請求項１０に記載の電子ディスプレイ・システム。
【請求項１６】
上記入力装置は、キーボード上のキーを含み、上記プロセッサは、上記キーが押し下げられた時間の長さに基づいて上記インクリメントを求める、請求項１５に記載の電子ディスプレイ・システム。
【請求項１７】
上記リアルタイムに変化する基本視覚情報は、移動止めを含み、上記システムは、上記マーカが上記移動止めにまたはその近くにあるとき、上記マーカの移動に一時停止の時間をとるタイマを含む、請求項１０に記載の電子ディスプレイ・システム。
【請求項１８】
波形およびマーカを表示するディスプレイと、
マーカ移動コマンドを入力する入力装置と、
上記マーカを上記波形に沿って移動させる命令を格納するメモリと、
上記ディスプレイと上記メモリに接続し、i)上記波形と、ii)上記波形上の上記マーカの位置と、iii)複数の上記マーカ移動コマンドと、からなるグループから選択される情報に依存してマーカ移動インクリメントをリアルタイムに求める電子プロセッサと、
上記プロセッサに接続し、上記複数のマーカ移動コマンドの１つに応じて、上記マーカを上記求めたマーカ移動インクリメントだけ移動させる電子ディスプレイ・コントローラと、
を備えるオシロスコープ。